(57)【要約】【課題】  日中と夜間とで異なる色として視認され得る再帰反射シートを提供することを目的とする。【解決手段】  一方の面に複数の再帰反射素子２４を有する再帰反射層２０と、再帰反射層の再帰反射素子側の面に対向して設けられる背面層３０と、を備え、再帰反射層の一部と背面層の一部とは、白色以外の有色の結合部３４を介して接着され、再帰反射層の他の一部と背面層の他の一部との間には空隙３６が形成され、結合部の色と、空隙よりも背面層側とは反対側に設けられる層の色と、が互いに異なる。【選択図】    図１
2019078910.tif 000002
【特許請求の範囲】
【請求項１】
一方の面に複数の再帰反射素子を有する再帰反射層と、
前記再帰反射層の前記再帰反射素子側の面に対向して設けられる背面層と、
を備え、
前記再帰反射層の一部と前記背面層の一部とは、白色以外の有色の結合部を介して接着され、
前記再帰反射層の他の一部と前記背面層の他の一部との間には空隙が形成され、
前記結合部の色と、前記空隙よりも前記背面層側とは反対側に設けられる層の色と、が互いに異なる
ことを特徴とする再帰反射シート。
【請求項２】
前記空隙よりも前記背面層側とは反対側に設けられる層が有色とされる
ことを特徴とする請求項１に記載の再帰反射シート。
【請求項３】
前記結合部の色は、前記空隙よりも前記背面層側とは反対側に設けられる層の色よりも明度が低い
ことを特徴とする請求項１または２に記載の再帰反射シート。
【請求項４】
前記空隙よりも前記再帰反射層側とは反対側に設けられる層が光透過性を有する
ことを特徴とする請求項１から３のいずれか１項に記載の再帰反射シート。
【請求項５】
前記背面層よりも前記再帰反射層側とは反対側に設けられる層の色は、前記背面層の色より明度が高い
ことを特徴とする請求項４に記載の再帰反射シート。
【請求項６】
平面視において、前記結合部の面積が２０％以上７０％以下であり、前記空隙の面積が３０％以上８０％以下である
ことを特徴とする請求項１から５のいずれか１項に記載の再帰反射シート。
【請求項７】
前記結合部は前記背面層の一部である
ことを特徴とする請求項１から６のいずれか１項に記載の再帰反射シート。
【発明の詳細な説明】
【技術分野】
【０００１】
本発明は、再帰反射シートに関する。
【背景技術】
【０００２】
再帰反射シートは、入射した光を光源側に反射させることができる性質を有する。再帰反射シートは、このような性質を有するため、夜間や暗所において光が照射されたときに印刷物等の対象物を見やすくする等の目的で利用される。再帰反射シートは、例えば、交通標識、案内標識、車両用ナンバープレート、広告看板、車線分離標、視線誘導標等に利用されている。
【０００３】
このような再帰反射シートとして、例えば下記特許文献１には、一方の面に複数の再帰反射素子を有する光透過性トップフィルムと、複数の再帰反射素子に対向するように設けられるベースフィルムとを有する再帰反射シートが開示されている。この再帰反射シートでは、厚さ方向に延在する連結壁を介して光透過性トップフィルムとベースフィルムとが連結されており、光透過性トップフィルムとベースフィルムとの間には空隙が形成される。この再帰反射シートの表面から光透過性トップフィルムに入射する光は、再帰反射素子と空隙との界面で再帰反射される。観察者は、このように再帰反射素子と空隙との界面で再帰反射された光を視認する。
【先行技術文献】
【特許文献】
【０００４】
【特許文献１】特開平７−２１８７０８号公報
【発明の概要】
【発明が解決しようとする課題】
【０００５】
上記のような従来の再帰反射シートにおいて、様々な色の模様や文字等を表示させる場合、空隙よりも観察者側の層が着色される。上記のように観察者は再帰反射素子と空隙との界面で再帰反射された光を視認するため、空隙よりも観察者側の層が着色されることによって、観察者は着色された層を透過した光を視認する。そのため、観察者は、様々な色の模様や文字等を視認し得る。このような従来の再帰反射シートでは、観察者は、日中でも夜間でも空隙よりも観察者側の層の色が反映された色の光を視認する。
【０００６】
しかし、日中と夜間とで再帰反射シートの色が異なる色に見えるようにしたいという要請がある。例えば、日中では過度に目立ち過ぎないように再帰反射シートが明度の低い色とされ、夜間には再帰反射シートに表示される模様や文字等が目立つようにしたいという要請がある。
【０００７】
そこで、本発明は、日中と夜間とで異なる色として視認され得る再帰反射シートを提供することを目的とする。
【課題を解決するための手段】
【０００８】
上記課題を解決するための本発明の再帰反射シートは、一方の面に複数の再帰反射素子を有する再帰反射層と、前記再帰反射層の前記再帰反射素子側の面に対向して設けられる背面層と、を備え、前記再帰反射層の一部と前記背面層の一部とは、白色以外の有色の結合部を介して接着され、前記再帰反射層の他の一部と前記背面層の他の一部との間には空隙が形成され、前記結合部の色と、前記空隙よりも前記背面層側とは反対側に設けられる層の色と、が互いに異なることを特徴とする。
【０００９】
上記再帰反射シートでは、再帰反射層に接着される結合部が有色であり、日中等の周囲が全体的に明るい環境下では、観察者は結合部の色が反映された色の光を視認し得る。また、上記再帰反射シートでは、再帰反射素子と背面層との間には空隙が形成され、当該空隙には空気等の気体が閉じ込められる。そして、この気体と再帰反射素子との屈折率差によって、再帰反射層側から入射した光を、再帰反射素子と空隙との界面で再帰反射層側に反射させることができる。夜間等の周囲が全体的に暗い環境下では、再帰反射シートに光が照射されたときに当該光の少なくとも一部が上記のように再帰反射され、その再帰反射された光が観察者に視認される。このように再帰反射された光は、空隙よりも背面層側とは反対側に設けられる層を透過した光である。空隙よりも背面層側とは反対側に設けられる層は、再帰反射層や必要に応じて再帰反射層上に設けられる表面保護層等であり、観察者は、再帰反射層や表面保護層等の色が反映された色の光を視認し得る。上記再帰反射シートでは、再帰反射層や表面保護層等の色と結合部の色とが互いに異なるため、上記再帰反射シートは日中と夜間とで異なる色として視認され得る。
【００１０】
なお、色が互いに異なるとは、一方が無色である場合も含む。よって、上記再帰反射シートでは、再帰反射層や表面保護層等が無色透明であってもよい。再帰反射層や表面保護層等が全て無色透明である場合、再帰反射シートで再帰反射されて観察者に視認される光の色は白色に近い色となり得る。よって、夜間は再帰反射シートが白色に近い色として観察者に視認され得る。ここで、上記再帰反射シートでは、結合部が白色以外の色とされることによって、日中は再帰反射シートが白色以外の色として観察者に視認され得る。このように、上記再帰反射シートは日中と夜間とで異なる色として視認され得る。
【００１１】
また、前記空隙よりも前記背面層側とは反対側に設けられる層が有色とされることが好ましい。
【００１２】
再帰反射層や表面保護層等が有色とされることによって、再帰反射シートの設計の自由度が向上され得る。
【００１３】
また、前記結合部の色は、前記空隙よりも前記背面層側とは反対側に設けられる層の色よりも明度が低いことが好ましい。
【００１４】
このように結合部の色の明度が再帰反射層や表面保護層等の色の明度より低くされることによって、日中に上記再帰反射シートを見る場合に、結合部の色がより濃く反映された色の光が視認され得る。
【００１５】
また、前記空隙よりも前記再帰反射層側とは反対側に設けられる層が光透過性を有してもよい。
【００１６】
背面層よりも空隙側とは反対側に他の層が設けられない場合は背面層が、背面層よりも空隙側とは反対側に他の層が設けられる場合は背面層及び当該他の層が、光透過性を有してもよい。背面層よりも空隙側とは反対側に設けられる他の層としては、粘着剤層等が挙げられる。すなわち、背面層や粘着剤層等が光透過性を有してもよい。このように背面層や粘着剤層等が光透過性を有する場合、背面層の再帰反射層側とは反対側に光源が設けられる場合にも上記再帰反射シートを用いることができる。すなわち、バックライトを有する設備に上記再帰反射シートが適用され得る。
【００１７】
また、前記背面層よりも前記再帰反射層側とは反対側に設けられる層の色は、前記背面層の色より明度が高いことが好ましい。
【００１８】
このように粘着剤層等の色の明度が背面層の色の明度より高いことによって、バックライトからの光は背面層の色が反映された色として観察者に視認され易くなる。
【００１９】
また、平面視において、前記結合部の面積が２０％以上７０％以下であり、前記空隙の面積が３０％以上８０％以下であることが好ましい。
【００２０】
平面視において結合部の面積と空隙の面積との割合が上記範囲とされることによって、日中に再帰反射シートを見る場合に結合部の色が目立ちやすくなるとともに再帰反射性の低下が抑制され得る。
【００２１】
また、前記結合部は前記背面層の一部であることが好ましい。
【００２２】
結合部が背面層の一部とされることにより、上記再帰反射シートが容易に製造され得る。
【発明の効果】
【００２３】
以上のように、本発明によれば、日中と夜間とで異なる色として視認され得る再帰反射シートが提供される。
【図面の簡単な説明】
【００２４】
【図１】本発明の実施形態に係る再帰反射シートの厚さ方向断面の一部を概略的に示す図である。
【図２】本発明の実施形態に係る再帰反射シートの一部を概略的に示す平面図である。
【発明を実施するための形態】
【００２５】
以下、本発明に係る再帰反射シートの好適な実施形態について図面を参照しながら詳細に説明する。
【００２６】
図１は、本発明の実施形態に係る再帰反射シートの厚さ方向断面の一部を概略的に示す図である。図１及び以下に示す他の図のそれぞれにおいて、理解のし易さのため、各構成要素の大きさは誇張される等して正確に示されていない。また、図１及び以下に示す他の図のそれぞれにおいて、同様の構成のものについては参照符号が一つだけ付され、繰り返しとなる参照符号は省略されている。
【００２７】
図１に示すように、本実施形態の再帰反射シート１００は、表面保護層１０、再帰反射層２０、背面層３０、粘着剤層４０および剥離層５０を備える。以下、再帰反射シート１００に備えられるこれらの構成要素についてより詳細に説明する。
【００２８】
表面保護層１０は、再帰反射層２０のうち再帰反射シート１００の使用時に観察者側となる面Ｆ１を保護する層であり、再帰反射シート１００の使用時において再帰反射シート１００の最も外側となる層である。再帰反射シート１００に優れた再帰反射性を備えさせる観点から、本実施形態の表面保護層１０は透明な樹脂層であり、表面保護層１０の全光線透過率は例えば８０％以上とされることが好ましい。
【００２９】
このような表面保護層１０を構成する材料としては、例えば、アクリル系樹脂、アルキド系樹脂、フッ素系樹脂、塩化ビニル系樹脂、ポリエステル系樹脂、ウレタン系樹脂、ポリカーボネート系樹脂等が挙げられる。これらの樹脂は、１種類が単独で用いられてもよく、複数種類が混合して用いられてもよい。表面保護層１０に耐候性や加工性を備えさせる観点からは、アクリル系樹脂、ポリエステル系樹脂、塩化ビニル系樹脂が好ましい。さらに塗工適性や着色する際の着色剤の分散性等を考慮するとアクリル系樹脂が好ましい。なお、表面保護層１０には、透明性を著しく損なわない範囲で、紫外線吸収剤、光安定剤、熱安定剤、可塑剤、架橋剤、酸化防止剤、防カビ剤、着色剤等の様々な添加剤を適宜添加することができる。
【００３０】
再帰反射層２０は、板状の保持体部２２と複数の再帰反射素子２４とを有する。保持体部２２の一方の面Ｆ１は表面保護層１０で覆われ、保持体部２２の他方の面Ｆ２には複数の再帰反射素子２４が設けられている。本実施形態の再帰反射層２０では、保持体部２２と複数の再帰反射素子２４とが一体に形成され、再帰反射層２０は一層の樹脂層とされる。
【００３１】
複数の再帰反射素子２４は、入射した光を再帰反射させるのに適した反射面を有している限り特に限定されるものではない。例えば、三角錐などの多面体状や所謂キューブコーナー形状の再帰反射素子２４が最密充填状に配置される場合、再帰反射性が優れるので好ましい。
【００３２】
再帰反射シート１００に優れた再帰反射性を備えさせる観点から、再帰反射層２０は、透明な樹脂層である。再帰反射層２０を構成する材料としては、例えば、アクリル系樹脂、ウレタン系樹脂、フッ素系樹脂、ポリエステル系樹脂、塩化ビニル系樹脂、ポリカーボネート系樹脂、ポリアリレート系樹脂、シリコーン系樹脂、ポリオレフィン系樹脂、アイオノマー樹脂等が挙げられる。これらの樹脂は、１種類が単独で用いられてもよく、複数種類が混合して用いられてもよい。また、再帰反射層２０の透明性や耐候性等を高める観点からは、再帰反射層２０は、アクリル系樹脂、ウレタン系樹脂、フッ素系樹脂、ポリカーボネート系樹脂等からなることが好ましい。なお、再帰反射層２０には、透明性を著しく損なわない範囲で、紫外線吸収剤、光安定剤、熱安定剤、可塑剤、架橋剤、酸化防止剤、防カビ剤、着色剤等の様々な添加剤を適宜添加することができる。
【００３３】
背面層３０は、再帰反射層２０の再帰反射素子２４側の面に対向して設けられる層である。本実施形態の背面層３０は、板状の支持体部３２と支持体部３２から再帰反射層２０側に延びる結合部３４とを有する。本実施形態の背面層３０では、支持体部３２と結合部３４とが一体に形成され、背面層３０は一層の樹脂層とされる。結合部３４のうち再帰反射層２０側の端部は再帰反射層２０の一部に接着されている。すなわち、再帰反射層２０の一部と背面層３０の一部とは結合部３４を介して接着されている。また、再帰反射層２０の他の一部と背面層３０の他の一部との間には空隙３６が形成されている。
【００３４】
図２は、本実施形態に係る再帰反射シート１００の一部を概略的に示す平面図である。すなわち、図２は、再帰反射シート１００を観察者側から見る図である。なお、理解の容易のため、図２では、表面保護層１０と再帰反射層２０とを透過して見る再帰反射シート１００が示されており、空隙３６にはハッチが入れられている。
【００３５】
図２に示すように、平面視、すなわち再帰反射シート１００の表面に対して垂直な方向から見る場合において、結合部３４はハニカム状に形成されており、結合部３４に囲われることによってそれぞれの空隙３６は互いに独立して八角形状に形成されている。このように、それぞれの空隙３６が互いに独立して結合部３４に囲われることにより、それぞれの空隙３６は密封され得る。そのため、結合部３４によって、空隙３６に水や異物等が侵入することが抑制され得る。
【００３６】
また、図１に示すように、本実施形態の背面層３０の再帰反射層２０側とは反対側の面には、再帰反射シート１００の厚さ方向において結合部３４と重なる位置に、再帰反射層２０側に凹んだ凹部３８が形成される。凹部３８は、後述するようにして再帰反射シート１００が作製される際に背面層３０が押圧されることによって形成される部位である。
【００３７】
また、結合部３４は白色以外で有色とされ、結合部３４の色は空隙３６よりも背面層３０側とは反対側に設けられる層の色と異なる。すなわち、本実施形態の結合部３４の色は、白色以外で有色とされ、表面保護層１０の色及び再帰反射層２０の色と異なる。なお、本実施形態の結合部３４は支持体部３２と一体であり、背面層３０全体の色が表面保護層１０の色及び再帰反射層２０の色と異なる。このような背面層３０は、着色剤を含む樹脂によって構成される。
【００３８】
背面層３０を構成する材料に含まれる樹脂としては、例えば、アクリル系樹脂、ウレタン系樹脂、フッ素系樹脂、ポリエステル系樹脂、塩化ビニル系樹脂、ポリカーボネート系樹脂、ポリアリレート系樹脂、シリコーン系樹脂、ポリオレフィン系樹脂、アイオノマー樹脂等が挙げられる。これらの樹脂は、１種類が単独で用いられてもよく、複数種類が混合して用いられてもよい。また、背面層３０の透明性や耐候性等を高める観点からは、背面層３０は、アクリル系樹脂、ウレタン系樹脂、フッ素系樹脂、ポリカーボネート系樹脂等からなることが好ましい。
【００３９】
背面層３０を構成する材料に含まれる着色剤としては、例えば、無機顔料、有機顔料、有機染料、パール顔料等を用いることができる。背面層３０には、これらの着色剤のうち１種類が単独で用いられてもよく、２種類以上が併用されてもよい。
【００４０】
上記無機顔料の例としては、酸化チタン、炭酸カルシウム、硫酸バリウム、酸化亜鉛、硫化亜鉛、カーボンブラック、カドミウムレッド、モリブデンレッド、群青、コバルトブルー、弁柄、酸化クロム、鉄黒、カドミウムイエロー、チタンイエロー、ニッケルチタンイエロー、クロムチタンイエロー、黄鉛、黄色酸化鉄、クロムオレンジ、カドミウムオレンジ、金粉、銀粉、銅粉、アルミニウム粉、ブロンズ粉等を挙げることができる。また、上記有機顔料及び有機染料の例としては、アントラキノン系、フタロシアニン系、キナクリドン系、イソインドリノン系、ジオキサジン系、キノフタロン系、キノイミン系、ペリレン系、ペリノン系、アゾ系、キノリン系、メチン系、インジゴ系、ナフトールイミド系などの有機化合物を挙げることができる。また、上記パール顔料の例としては、酸化チタン被覆雲母、酸化塩化ビスマス、魚鱗粉、塩基性炭酸鉛等を挙げることができる。なお、上記のように結合部３４の色は白色以外の色とされるため、白色の着色剤が使用される場合は、他の色の着色剤が併用される。
【００４１】
また、背面層３０には、紫外線吸収剤、光安定剤、熱安定剤、可塑剤、架橋剤、酸化防止剤、防カビ剤等の様々な添加剤を適宜添加することができる。
【００４２】
粘着剤層４０は、背面層３０の再帰反射層２０側とは反対側に設けられ、再帰反射シート１００を使用する際に被着体に貼り付けられる層である。
【００４３】
粘着剤層４０を構成する材料としては、例えば、感圧接着剤、感熱型接着剤、架橋型接着剤などから適宜選択することができる。感圧接着剤としては、例えば、ブチルアクリレート、２−エチルヘキシルアクリレート、イソオクチルアクリレート、ノニルアクリレートなどのアクリル酸エステルをアクリル酸、酢酸ビニルなどと共重合して得られるポリアクリル酸エステル感圧接着剤、シリコーン系樹脂感圧接着剤、ゴム系感圧接着剤等が挙げられる。感熱型接着剤としては、例えば、アクリル系樹脂、ポリエステル系樹脂、エポキシ系樹脂等が挙げられる。粘着剤層４０に優れた耐候性及び粘着性を備えさせる観点からは、アクリル系樹脂またはシリコーン系樹脂を用いることが好ましい。
【００４４】
剥離層５０は、粘着剤層４０の背面層３０側とは反対側に設けられる層である。再帰反射シート１００の使用前に剥離層５０が粘着剤層４０を覆うことによって、粘着剤層４０にゴミ等が付着したり、粘着剤層４０が意図しない場所に付着したりすることが抑制される。一方、再帰反射シート１００が使用されるときには、剥離層５０は粘着剤層４０から剥離される。
【００４５】
このような剥離層５０は、特に限定されないが、例えば、ポリエステルフィルム、ポリプロピレンフィルム等で構成される。
【００４６】
以上に説明した再帰反射シート１００は、再帰反射層２０と、再帰反射層２０の再帰反射素子２４側の面に対向して設けられる背面層３０と、を備える。また、再帰反射層２０の一部と背面層３０の一部とは、有色の結合部３４を介して接着され、再帰反射層２０の他の一部と背面層３０の他の一部との間には空隙３６が形成される。さらに、結合部３４は白色以外の色とされ、結合部３４の色と、空隙３６よりも背面層３０側とは反対側に設けられる層の色と、が互いに異なる。
【００４７】
このような本実施形態の再帰反射シート１００では、再帰反射層２０に接着される結合部３４が有色であり、日中等の周囲が全体的に明るい環境下では、観察者は結合部３４の色が反映された色の光を視認し得る。また、本実施形態の再帰反射シート１００では、再帰反射素子２４と背面層３０との間には空隙３６が形成され、空隙３６には空気等の気体が閉じ込められる。そして、この気体と再帰反射素子２４との屈折率差によって、再帰反射層２０側から入射した光を、再帰反射素子２４と空隙３６との界面で再帰反射層２０側に反射させることができる。夜間等の周囲が全体的に暗い環境下では、再帰反射シート１００に光が照射されたときに当該光の少なくとも一部が上記のように再帰反射され、その再帰反射された光が観察者に視認される。このように再帰反射された光は、空隙３６よりも背面層３０側とは反対側に設けられる層を透過した光であり、観察者は、空隙３６よりも背面層３０側とは反対側に設けられる層の色が反映された色の光を視認し得る。すなわち、本実施形態の再帰反射シート１００では、観察者は、再帰反射層２０及び表面保護層１０の色が反映された色の光を視認し得る。本実施形態の再帰反射シート１００では、結合部３４の色と空隙３６よりも背面層３０側とは反対側に設けられる層の色とが互いに異なるため、再帰反射シート１００は日中と夜間とで異なる色として視認され得る。
【００４８】
なお、色が互いに異なるとは、一方が無色である場合も含む。よって、空隙３６よりも背面層３０側とは反対側に設けられる層が無色透明であってもよい。すなわち、本実施形態の再帰反射シート１００では、再帰反射層２０及び表面保護層１０が無色透明であってもよい。空隙３６よりも背面層３０側とは反対側に設けられる層が全て無色透明である場合、再帰反射シート１００で再帰反射されて観察者に視認される光の色は白色に近い色となり得る。よって、夜間は再帰反射シート１００が白色に近い色として観察者に視認され得る。ここで、本実施形態の再帰反射シート１００では、結合部３４が白色以外の色とされることによって、日中は再帰反射シート１００が白色以外の色として観察者に視認され得る。このように、再帰反射シート１００は日中と夜間とで異なる色として視認され得る。
【００４９】
また、空隙３６よりも背面層３０側とは反対側に設けられる層が無色透明とされる場合、再帰反射シート１００の再帰反射性能が向上され得る。
【００５０】
ただし、空隙３６よりも背面層３０側とは反対側に設けられる層が有色とされることが好ましい。すなわち、本実施形態の再帰反射シート１００では、再帰反射層２０及び表面保護層１０の少なくとも一方が有色とされることが好ましい。このように空隙３６よりも背面層３０側とは反対側に設けられる層が有色とされることによって、再帰反射シート１００の設計の自由度が向上され得る。例えば、再帰反射層２０または表面保護層１０を黄色とし、結合部３４を青色とする場合、日中は再帰反射シート１００が緑色に見え、夜間は再帰反射シート１００が黄色に見え得る。よって、再帰反射シート１００は、日中は周囲の環境に溶け込みつつ夜間には注意を促せる標識や看板とされ得る。
【００５１】
また、結合部３４の色は、空隙３６よりも背面層３０側とは反対側に設けられる層の色よりも明度が低いことが好ましい。すなわち、本実施形態の再帰反射シート１００では、結合部３４の色は、再帰反射層２０の色及び表面保護層１０の色よりも明度が低いことが好ましい。このように結合部３４の色の明度が低くされることによって、日中に再帰反射シート１００を見る場合に、結合部３４の色がより濃く反映された色の光が視認され得る。
【００５２】
また、再帰反射素子２４においてより効率良く再帰反射させる観点からは、再帰反射素子２４を構成する材料の屈折率が結合部３４を構成する材料の屈折率よりも大きいことが好ましい。
【００５３】
また、空隙３６よりも再帰反射層２０側とは反対側に設けられる層が光透過性を有してもよい。すなわち、本実施形態の再帰反射シート１００では、背面層３０及び粘着剤層４０が光透過性を有してもよい。このように空隙３６よりも再帰反射層２０側とは反対側に設けられる層が光透過性を有する場合、背面層３０の再帰反射層２０側とは反対側に光源が設けられる場合にも再帰反射シート１００を用いることができる。すなわち、バックライトを有する設備に再帰反射シート１００が適用され得る。なお、剥離層５０は再帰反射シート１００の使用時に剥離されるものであるため、剥離層５０の色や光透過性の有無は特に限定されない。
【００５４】
また、上記のように空隙３６よりも再帰反射層２０側とは反対側に設けられる層が光透過性を有する場合、背面層３０よりも再帰反射層２０側とは反対側に設けられる層の色は、背面層３０の色より明度が高いことが好ましい。背面層３０よりも再帰反射層２０側とは反対側に他の層が設けられる場合、当該他の層の色が背面層３０の色より明度が高いことによって、バックライトからの光は背面層３０の色が反映された色として観察者に視認され易くなる。
【００５５】
以上に説明した再帰反射シート１００は、以下に例示するようにして製造することができる。まず、再帰反射層２０となるシートと背面層３０となるシートとを用意し、これらのシートを再帰反射素子２４と背面層３０とが対向するように重ね、結合部３４及び空隙３６が形成されるように再帰反射層２０と背面層３０とを積層する。このとき、背面層３０側から再帰反射層２０側へと熱を加えながら押圧する。その結果、背面層３０に凹部３８が形成され、背面層３０のうち凹部３８とは反対側の面には結合部３４が形成される。なお、本実施形態では、ハニカム状の押圧部材を用いて上記のように背面層３０を押圧することにより、図２に示すようなハニカム状の結合部３４が形成される。このようにして再帰反射層２０と背面層３０とを接着させた後、粘着剤層４０及び剥離層５０を積層する。表面保護層１０は、再帰反射層２０と背面層３０とを重ねる前に形成されていても良く、再帰反射層２０と背面層３０とを重ねた後に形成されてもよい。また、各層の形成方法は特に限定されない。
【００５６】
上記のように背面層３０側から押圧して再帰反射層２０と背面層３０とを熱圧着することによって、再帰反射層２０の変形が抑制され、再帰反射シート１００の再帰反射性への影響が低減され得る。
【００５７】
以上、本発明について好適な実施形態を例に説明したが、本発明はこれに限定されるものではない。
【００５８】
例えば、上記実施形態では、表面保護層１０を備える例を挙げて説明したが、表面保護層１０は必須の構成要素ではない。
【００５９】
また、上記実施形態では、粘着剤層４０を備える例を挙げて説明したが、粘着剤層４０は必須の構成要素ではない。例えば、背面層３０が粘着剤からなる場合、粘着剤層４０が設けられなくとも再帰反射シートを対象物に貼り付けることができるため、再帰反射シートの層構成を簡単にすることができ、再帰反射シートの生産コストの上昇を抑制することができる。
【００６０】
また、本発明の再帰反射シートには、上記実施形態で例示された層以外の層が備えられてもよい。例えば、表面保護層１０と再帰反射層２０との間に着色層や印刷層が設けられてもよい。
【００６１】
また、上記実施形態では、平面視において結合部３４がハニカム状に形成される例を挙げて説明した。すなわち、結合部３４で囲われる空隙３６が平面視において八角形である形態を例に挙げて説明した。しかし、本発明は当該形態に限定されず、結合部３４で囲われる空隙３６の平面視における形状は円形、楕円形、八角形以外の多角形等の如何なる形状であってもよい。
【００６２】
また、上記実施形態では、複数の空隙３６が互いに独立して形成されるように、結合部３４が連続的に形成される例を挙げて説明した。しかし、結合部３４は断続的に形成されてもよい。また、上記実施形態のように独立して形成される空隙３６において、断続的に他の結合部が形成されてもよい。
【００６３】
また、上記実施形態では、図２に示すように、平面視において結合部３４の面積が空隙３６の面積より小さい例を挙げて説明した。しかし、平面視において、結合部３４の面積が空隙３６の面積より大きくてもよい。再帰反射シート１００の平面視における結合部３４の面積と空隙３６の面積との割合は、例えば結合部３４の面積と空隙３６の面積との合計を１００％として、結合部３４の面積が２０％以上７０％以下であり、空隙３６の面積が３０％以上８０％以下であることが好ましい。また、結合部３４の面積が３０％以上５０％以下であり、空隙３６の面積が５０％以上７０％以下であることがより好ましい。結合部３４の面積がある程度大きくされることによって、日中に再帰反射シート１００を見る場合に結合部３４の色がより目立ちやすくなる。ただし、結合部３４は再帰反射に寄与し難い傾向がある。よって、再帰反射シート１００の平面視における結合部３４の面積と空隙３６の面積との割合が上記範囲とされることによって、日中に再帰反射シート１００を見る場合に結合部３４の色がより目立ちやすくなるとともに再帰反射シート１００の再帰反射性の低下が抑制され得る。再帰反射シート１００の再帰反射性の低下が抑制されることによって、夜間における再帰反射シート１００の外観の悪化が抑制され得る。
【００６４】
また、上記実施形態では、支持体部３２と結合部３４とが一体である例を挙げて説明したが、支持体部３２と結合部３４とが別々に構成されてもよい。この場合、支持体部３２と結合部３４とは異なる色であってもよい。ただし、支持体部３２と結合部３４とが一体であることが好ましい。結合部３４が背面層３０の一部とされることにより、上記実施形態のように再帰反射シート１００が容易に製造され得る。また、支持体部３２と結合部３４とが一体である場合であっても、支持体部３２と結合部３４とは異なる色であってもよい。例えば、熱や圧力を加えられることによって変色する材料で背面層３０が構成される場合、上記のように再帰反射シート１００を製造する過程において結合部３４となる部位には熱や圧力が加えられるため、支持体部３２と結合部３４とが互いに異なる色とされ得る。
【産業上の利用可能性】
【００６５】
以上説明したように、本発明によれば、日中と夜間とで異なる色として認識され得る再帰反射シートが提供され、案内標識や広告看板等の分野においての利用することができる。
【符号の説明】
【００６６】
１０・・・表面保護層
２０・・・再帰反射層
２４・・・再帰反射素子
３０・・・背面層
３４・・・結合部
３６・・・空隙
４０・・・粘着剤層
５０・・・剥離層
１００・・・再帰反射シート
【図１】
2019078910.tif 000003
【図２】
2019078910.tif 000004